【手続補正書】
【提出日】平成20年4月15日(2008.4.15)
【手続補正１】
【補正対象書類名】明細書
【補正対象項目名】発明の名称
【補正方法】変更
【補正の内容】
【発明の名称】インターネットのアクセスシステム
【手続補正２】
【補正対象書類名】明細書
【補正対象項目名】特許請求の範囲
【補正方法】変更
【補正の内容】
【特許請求の範囲】
【請求項１】
媒体に記録されたバーコード形式のＵＲＬアドレスを読み取るための読取手段を有するクライアントコンピュータと、前記ＵＲＬアドレス毎および前記クライアントコンピュータの利用者の識別情報毎にＷＷＷサイトへのアクセス回数を記録した履歴情報のデータベースを有し、前記クライアントコンピュータとネットワークを介して接続されるサーバコンピュータとを備え、
前記クライアントコンピュータは、前記履歴情報の照合要求と共に、前記読取手段を用いて読み取られたＵＲＬアドレスおよび前記利用者の識別情報を前記サーバコンピュータへ送信し、
前記サーバコンピュータは、前記クライアントコンピュータから受信した照合要求に従って、前記データベースに記録されたＵＲＬアドレス毎および利用者の識別情報毎のアクセス回数の履歴情報と、前記クライアントコンピュータから受信したＵＲＬアドレスおよび利用者の識別情報とを照合して、この照合結果を前記クライアントコンピュータへ送信し、
前記クライアントコンピュータは、前記サーバコンピュータから受信した照合結果に応じて、前記利用者の前記ＵＲＬアドレスに対応するＷＷＷサイトへのアクセスを制御することを特徴とするインターネットのアクセスシステム。
【請求項２】
前記クライアントコンピュータは、前記利用者がＵＲＬアドレスに対応するＷＷＷサイトにアクセスした場合、前記履歴情報の更新要求と共に、前記ＵＲＬアドレスおよび前記利用者の識別情報を前記サーバコンピュータへ送信し、
前記サーバコンピュータは、前記クライアントコンピュータから受信した更新要求に従って、前記クライアントコンピュータから受信したＵＲＬアドレス毎および利用者の識別情報毎に前記アクセス回数の履歴情報を更新する請求項１に記載のインターネットのアクセスシステム。
【請求項３】
前記クライアントコンピュータは、前記照合結果に応じて、前記利用者の前記ＵＲＬアドレスに対応する同一ＷＷＷサイトへの２回目以降のアクセスを禁止するように制御する請求項１または２に記載のインターネットのアクセスシステム。
【請求項４】
前記クライアントコンピュータは、前記照合結果に応じて、前記利用者の前記ＵＲＬアドレスに対応する同一ＷＷＷサイトへの２回目以降のアクセスに対して、前記ＵＲＬアドレスに対応するＷＷＷサイトとは違うＷＷＷサイトにアクセスさせるように制御する請求項１または２に記載のインターネットのアクセスシステム。
【手続補正３】
【補正対象書類名】明細書
【補正対象項目名】０００１
【補正方法】変更
【補正の内容】
【０００１】
【発明の属する技術分野】
本発明は、バーコードを利用したインターネットのアクセスシステムに関するものである。
【手続補正４】
【補正対象書類名】明細書
【補正対象項目名】０００３
【補正方法】変更
【補正の内容】
【０００３】
【発明が解決しようとする課題】
本発明の目的は、前記従来技術に基づく問題点を解消し、バーコード化されたＵＲＬアドレスを読み取り、これに対応するＷＷＷサイトにアクセスした回数に応じて、そのＷＷＷサイトへのアクセスを管理（制御）することができるインターネットのアクセスシステムを提供することにある。
【手続補正５】
【補正対象書類名】明細書
【補正対象項目名】０００４
【補正方法】変更
【補正の内容】
【０００４】
【課題を解決するための手段】
上記目的を達成するために、本発明は、媒体に記録されたバーコード形式のＵＲＬアドレスを読み取るための読取手段を有するクライアントコンピュータと、前記ＵＲＬアドレス毎および前記クライアントコンピュータの利用者の識別情報毎にＷＷＷサイトへのアクセス回数を記録した履歴情報のデータベースを有し、前記クライアントコンピュータとネットワークを介して接続されるサーバコンピュータとを備え、
前記クライアントコンピュータは、前記履歴情報の照合要求と共に、前記読取手段を用いて読み取られたＵＲＬアドレスおよび前記利用者の識別情報を前記サーバコンピュータへ送信し、
前記サーバコンピュータは、前記クライアントコンピュータから受信した照合要求に従って、前記データベースに記録されたＵＲＬアドレス毎および利用者の識別情報毎のアクセス回数の履歴情報と、前記クライアントコンピュータから受信したＵＲＬアドレスおよび利用者の識別情報とを照合して、この照合結果を前記クライアントコンピュータへ送信し、
前記クライアントコンピュータは、前記サーバコンピュータから受信した照合結果に応じて、前記利用者の前記ＵＲＬアドレスに対応するＷＷＷサイトへのアクセスを制御することを特徴とするインターネットのアクセスシステムを提供するものである。
【手続補正６】
【補正対象書類名】明細書
【補正対象項目名】０００５
【補正方法】変更
【補正の内容】
【０００５】
ここで、前記クライアントコンピュータは、前記利用者がＵＲＬアドレスに対応するＷＷＷサイトにアクセスした場合、前記履歴情報の更新要求と共に、前記ＵＲＬアドレスおよび前記利用者の識別情報を前記サーバコンピュータへ送信し、
前記サーバコンピュータは、前記クライアントコンピュータから受信した更新要求に従って、前記クライアントコンピュータから受信したＵＲＬアドレス毎および利用者の識別情報毎に前記アクセス回数の履歴情報を更新するのが好ましい。
【手続補正７】
【補正対象書類名】明細書
【補正対象項目名】０００６
【補正方法】変更
【補正の内容】
【０００６】
また、前記クライアントコンピュータは、前記照合結果に応じて、前記利用者の前記ＵＲＬアドレスに対応する同一ＷＷＷサイトへの２回目以降のアクセスを禁止するように制御するのが好ましい。
【手続補正８】
【補正対象書類名】明細書
【補正対象項目名】０００７
【補正方法】変更
【補正の内容】
【０００７】
また、前記クライアントコンピュータは、前記照合結果に応じて、前記利用者の前記ＵＲＬアドレスに対応する同一ＷＷＷサイトへの２回目以降のアクセスに対して、前記ＵＲＬアドレスに対応するＷＷＷサイトとは違うＷＷＷサイトにアクセスさせるように制御するのが好ましい。
【手続補正９】
【補正対象書類名】明細書
【補正対象項目名】０００８
【補正方法】変更
【補正の内容】
【０００８】
【発明の実施の形態】
以下に、添付の図面に示す好適実施例に基づいて、本発明のインターネットのアクセスシステムを詳細に説明する。
【手続補正１０】
【補正対象書類名】明細書
【補正対象項目名】００１８
【補正方法】変更
【補正の内容】
【００１８】
なお、識別情報は、個々の利用者を区別して識別できればどのような情報であってもよい。クライアントコンピュータ１４の利用者が固定されている場合、ハードウェアに固有の情報、例えば読取手段１８やクライアントコンピュータ１４のＣＰＵ（中央演算装置）のシリアル番号等が利用可能である。また、クライアントコンピュータ１４を複数の利用者で共用する場合には、個々の利用者に固有の番号等をあらかじめ登録しておけばよい。
【手続補正１１】
【補正対象書類名】明細書
【補正対象項目名】００３７
【補正方法】変更
【補正の内容】
【００３７】
本発明のインターネットのアクセスシステムは、基本的に以上のようなものである。以上、本発明のインターネットのアクセスシステムについて詳細に説明したが、本発明は上記実施例に限定されず、本発明の主旨を逸脱しない範囲において、種々の改良や変更をしてもよいのはもちろんである。
【手続補正１２】
【補正対象書類名】明細書
【補正対象項目名】００３８
【補正方法】変更
【補正の内容】
【００３８】
【発明の効果】
以上詳細に説明した様に、本発明のインターネットのアクセスシステムは、バーコード化されたＵＲＬアドレスを読み取り、サーバコンピュータにより、アクセス回数の履歴情報と読み取られたＵＲＬアドレスおよび利用者の識別情報とを照合し、クライアントコンピュータにより、照合結果に応じて、利用者のＵＲＬアドレスに対応するＷＷＷサイトへのアクセスを制御するようにしたものである。
これにより、本発明のインターネットのアクセスシステムによれば、バーコードのＵＲＬアドレスに対応するＷＷＷサイトにアクセスした回数に応じて、そのＷＷＷサイトへのアクセスを制御することができる。